(57)【特許請求の範囲】
【請求項１】
ユーザが通話のために使用する際に該ユーザから見て外側に配置されることにより、該ユーザの周囲から閲覧可能な位置に配置された表示手段と、
表示時間に基づいて報酬が決定される広告である広告データを格納する格納手段と、
前記格納手段に格納された広告を、通話が開始された際に前記表示手段に表示し、当該通話が終了された際に前記広告の表示を終了させる制御手段と、を備える携帯端末。
【請求項２】
前記表示手段とスピーカとが互いに反対の面に配される筐体を有する請求項１に記載の携帯端末。
【請求項３】
前記制御手段は、広告管理サーバから受信した広告データを前記格納手段に格納させる請求項１又は２に記載の携帯端末。
【発明の詳細な説明】
【技術分野】
【０００１】
本発明は、携帯端末に関する。
【背景技術】
【０００２】
例えば、特許第３２４５８３６号には、広告提供者から広告データと当該広告データを配信する携帯端末の条件とを受け取り、該条件を満たす携帯端末に対して広告を配信するサービスが開示されている。上記サービスでは、携帯端末に対して配信した広告データに応じた割引を行い、一方、広告提供者から受け取る代金の一部を携帯端末のユーザに対して還元するようなシステムになっている。
【特許文献１】特許第３２４５８３６号公報
【発明の開示】
【発明が解決しようとする課題】
【０００３】
しかしながら、上述したサービスでは、携帯端末のユーザしか広告を見ないため、宣伝効果が非常に低いという欠点があった。
【０００４】
本発明はこのような事情に鑑みてなされたもので、携帯端末に対して配信した広告の宣伝効果を高めるとともに、その宣伝効果に応じた報酬をユーザに対して付与することが可能な携帯端末を提供することを目的とする。
【課題を解決するための手段】
【０００５】
上記目的を達成するために、ユーザが通話のために使用する際に該ユーザから見て外側に配置されることにより、該ユーザの周囲から閲覧可能な位置に配置された表示手段と、表示時間に基づいて報酬が決定される広告である広告データを格納する格納手段と、前記格納手段に格納された広告を、通話が開始された際に前記表示手段に表示し、当該通話が終了された際に前記広告の表示を終了させる制御手段と、を備える携帯端末を提供する。
【０００６】
宣伝効果は、その広告を表示させる場所によって変動する。例えば、繁華街やオフィス街等の人が密集するエリアでは、携帯端末に表示させた広告を多数の人が閲覧する可能性が高いため宣伝効果が高いと判断でき、一方、人気の少ない路地などでは、周囲の人が少ないため広告の宣伝効果が低いと判断できる。従って、本発明によれば、場所（エリア）に応じて宣伝効果の程度を判断し、その宣伝効果の程度に応じた報酬を設定することができるので、宣伝効果に応じた公正な報酬を付与することが可能となる。
【００１０】
宣伝効果は、その広告を表示させる時間帯によっても変動する。例えば、オフィス街のように、昼間人が密集するエリアであっても、夜には人気が少なくなるエリアも少なくない。従って、本発明によれば、広告を表示させたエリアと時間帯との組み合わせにより、宣伝効果の程度をより詳細に判定でき、宣伝効果に応じた公正な報酬を付与することが可能となる。
【００１２】
この発明によれば、通話中の表示時間のみを報酬付与の対象とする。即ち、携帯端末の表示画面に表示されている広告が周囲の人が閲覧可能な状態になっている場合には宣伝効果があるが、一方、データ通信のように、表示画面を見ながらユーザが操作を行うような状態は、周囲の人が広告を閲覧できない状態にあるため、宣伝効果はゼロである。従って、本当に宣伝効果がある場合のみを報酬付与の対象とでき、宣伝効果に応じた報酬を正確に付与することが可能となる。
【００１４】
この発明によれば、広告を表示した位置情報を広告管理サーバへ送信するので、広告管理サーバは、報酬と位置情報とが予め対応付けられているテーブルから受信した位置情報に該当する報酬を読み出すことにより、簡単に報酬を決定することが可能となる。なお、上記閲覧可能な表示画面は、例えば、図６に示すように、携帯端末の裏側に設けられたサブ表示画面が好ましい。このように、サブ表示画面などに広告を表示させることにより、通話中には、周囲に対して広告を見せることができる。また、サブ画面を有しない携帯端末であっても、表示画面を周囲に向けた状態で通話することができる携帯端末であってもよい。例えば、折り畳み時に筐体内側に表示画面を有する折り畳み式の携帯端末であった場合、表示画面を有する筐体が、折り畳み軸と垂直な軸廻りに回転するようなヒンジ構造になっていれば、通話時において、表示画面を外側に向けることで、そこに表示された広告を周囲に向けて見せることができる。
【００１５】
また、請求項２に記載の発明は、前記表示手段とスピーカとが互いに反対の面に配される筐体を有する携帯端末を提供する。
【００１６】
また、請求項３に記載の発明は、前記制御手段は、広告管理サーバから受信した広告データを前記格納手段に格納させる携帯端末を提供する。
【００２０】
なお、本発明の携帯端末としては、いわゆるＣＤＭＡ（符号分割多重接続）方式やＰＤＣ（Ｐｅｒｓｏｎａｌ  Ｄｉｇｉｔａｌ  Ｃｅｌｌｕｌａｒ  Ｓｙｓｔｅｍ）方式などの携帯電話機やＰＨＳ（Ｐｅｒｓｏｎａｌ  Ｈａｎｄｙｐｈｏｎｅ  Ｓｙｓｔｅｍ）（登録商標）の他、ＰＤＡ（Ｐｅｒｓｏｎａｌ  ＤｉｇｉｔａｌＡｓｓｉｓｔａｎｔｓ：個人用情報機器）と称される携帯型の端末であってもよい。また、ＰＤＡの場合、通信手段を内蔵していてもよく、外部から通信手段を接続するものであってもよい。
【発明の効果】
【００２２】
以上説明したように、本発明によれば、宣伝効果の程度をより細かく判断でき、その判断結果に基づいた公正な報酬を付与することができる。
【発明を実施するための最良の形態】
【００２３】
以下、図面を参照し、本発明の一実施形態について説明する。図１は、本発明の一実施形態に係る広告提供システムの基本構成図である。同図において、符号１は広告提供システムの利用者が用いる携帯端末である。符号２は、位置登録された携帯端末１と必要な信号を送受信して、音声通信や電子メール機能を実現する基地局である。符号３は基地局２を携帯電話通信網６を経由して制御したり、公衆回線やインターネット通信網からなる通信ネットワーク７との接続などを行う交換局である。符号４は、広告管理サーバであり、通信ネットワーク７を経由して、広告提供者端末３から携帯端末１に配信すべき広告データ等を受け取り、この広告データを管理するとともに、携帯端末１からの要求に応じて、該当する広告データを配信する。
【００２４】
なお、上記広告提供者端末３は、広告提供者が広告データを広告管理サーバ４に登録する際に使用する端末装置であって、通常ＰＣ（Ｐｅｒｓｏｎａｌ  Ｃｏｍｐｕｔｅｒ）が利用される。また、上記携帯電話通信網６としては、ＰＤＣ、ＰＨＳ（登録商標）、ＧＳＭやＣＤＭＡ方式などの無線通信ネットワーク、通信ネットワーク７としては、公衆回線網およびインターネット等が例として挙げられる。
【００２５】
次に、本発明の一実施形態に係る携帯端末１について説明する。図２は、本実施形態に係る携帯端末１の主要な構成を示すブロック図である。同図において、携帯端末１は、高周波アナログ信号を処理するＲＦ無線部１０、アナログ信号から変換したデジタル信号の変調／復調を行うベースバンドモデム部１１、ベースバンドモデム部１１とのインターフェース制御や電話機のシステム制御を行う制御部１２を備えている。また、当該携帯端末１は、時計部１３、広告管理サーバ４からダウンロードした広告データを格納する広告データ格納部１４、周知技術であるＧＰＳ（ＧｌｏｂａｌＰｏｓｉｔｉｏｎｉｎｇ  Ｓｙｓｔｅｍ）を用いて位置検出（三角測量など）を行う位置検出部１５、電話番号等を入力するためのテンキー、種々のファンクションキー等から構成されるキー操作部１６、制御部１２から供給される画像データを表示させる表示部１７ａ、サブ表示部１７ｂ、音声処理部１８、音声処理部１８から出力されたアナログ音声信号を放音するスピーカ１９、外部音声を取り込み、音声処理部１８へ出力するマイク２０を備えている。
【００２６】
なお、上記音声処理部１８は、音声信号の符号化や復号化を行う音声コーデック部、符号化された音声信号をデジタル／アナログ変換してスピーカ１９へ出力するＤＡ変換器、マイク２０より入力された音声信号をアナログ／デジタル変換して音声コーデックに出力するＡＤ変換器からなる。また、上記制御部１２は、図示しないＣＰＵ、ＣＰＵが実行する各種プログラムが格納されているＲＯＭ、ＣＰＵの処理実行中に発生するデータ等を格納するＲＡＭから構成されており、ＣＰＵがＲＯＭに格納されている各種プログラムを実行することにより、通話に必要な制御（例えば、位置登録、待受け、リンク確立、ハンドオーバなどの制御）を実現させ、また、当該携帯端末１を構成する各部の制御を行う。なお、メイン表示部１７ａは、図６に示すように通話中に通話者の耳側となる面に設けられており、一方、サブ表示部１７ｂは、通話中において周囲の人々が閲覧可能な位置に設けられている。
【００２７】
次に、本実施形態に係る広告管理サーバ４について説明する。図３は、本実施形態に係る広告管理サーバ４の主要な構成を示すブロック図である。同図において、広告管理サーバ４は、サーバを構成する各部を制御するＣＰＵ２１、ＣＰＵ２１が実行する種々のプログラムが格納されているＲＯＭ（Ｒｅａｄ  Ｏｎｌｙ  Ｍｅｍｏｒｙ）２２、処理実行中において発生したデータ等を一次格納するＲＡＭ（Ｒａｎｄｏｍ  Ａｃｃｅｓｓ  Ｍｅｍｏｒｙ）２３、広告データベース（広告ＤＢ）２４、公衆回線網を介して交換局５へ接続することにより携帯端末１や広告提供者端末３との通信を可能とするための通信部２５、報酬データベース（報酬ＤＢ）２６、及び登録者データベース（登録者ＤＢ）２８を備えている。
【００２８】
上記広告ＤＢ２４には、広告提供者端末３から受け付けた広告データが、当該広告データの提供者の個人情報と関連づけられて格納されている。なお、各広告データには固有のＩＤ（以下、広告ＩＤと記載する）が付与されており、そのＩＤによって広告データを特定できるようになっている。また、上記報酬ＤＢ２６には、図４に示すように、広告ＩＤ毎に、当該広告を表示させたエリアと時間帯との組合せに応じて、報酬が設定されている報酬テーブルが複数格納されている。また、登録者ＤＢ２８には、登録者ファイルが複数格納されている。この登録者ファイルは、個々の登録者に付与される登録者ＩＤで識別できるようになっており、この登録者ファイルには、個人情報、該登録者が使用する携帯端末宛てに配信した広告データの広告ＩＤ、該登録者に付与する報酬等が登録されている。なお、この登録者ファイルについての詳細は、後述する。
【００２９】
なお、上記広告ＤＢ２４、報酬ＤＢ２６、及び登録者ＤＢ２８は、ハードディスク装置や光磁気ディスク装置、フラッシュメモリ等の不揮発性のメモリや、ＲＡＭ（Ｒａｎｄｏｍ  Ａｃｃｅｓｓ  Ｍｅｍｏｒｙ）のような揮発性のメモリ、あるいはこれらの組み合わせによるコンピュータ読み取り、書き込み可能な記録媒体より構成されるものとする。また、上記広告管理サーバ４には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ  Ｒａｙ  Ｔｕｂｅ）ディスプレイ装置や液晶表示装置等のことをいう。
【００３０】
次に、上記構成からなる広告提供システムの概要について説明する。
【００３１】
〈新規登録及び広告データのダウンロード〉まず、携帯端末１のユーザは、当該サービスを受けたい場合、携帯端末１を操作することにより、広告管理サーバ４との接続要求を発信する。続いて、携帯端末１と広告管理サーバ４との間の回線が接続されると、続いて、ユーザは携帯端末１から新規登録の要求を行い、続いて新規登録に必要な情報を送信する。広告管理サーバ４は、新規ユーザの情報を受信すると、当該ユーザに対して登録者ＩＤ（例えば、「１２３４５６」）を付与するとともに、付与した登録者ＩＤ「１２３４５６」で識別される登録者ファイルを作成し、このファイル内に当該ユーザの個人情報を登録し、登録者ＤＢ２８に格納する。なお、上記個人情報とは、氏名、住所、携帯端末１のメールアドレス及び電話番号等である。
【００３２】
続いて、携帯端末１のユーザは、携帯端末１の入力部１６を操作することにより、配信を受けたい広告データを指定し、送信操作を行う。これにより、ユーザが配信を希望する広告データの広告ＩＤ（例えば、「６７８９」）が広告管理サーバ４へ送信される。広告管理サーバ４は、受信した広告ＩＤ「６７８９」で特定される広告データを広告ＤＢ２４から読み出して、該携帯端末１に対して送信するとともに、配信した広告データの広告ＩＤ「６７８９」を先ほど作成した登録者ＩＤ「１２３４５６」で特定される登録者ファイルに書き込む。これにより、登録者ＩＤ「１２３４５６」により特定される登録者ファイルには、個人情報と広告ＩＤ「６７８９」とが登録される。
【００３３】
一方、該広告データの配信を受けた携帯端末１は、ダウンロードした広告ＩＤ「６７８９」の広告データを広告データ格納部１４に格納する。
【００３４】
〈広告の表示〉次に、上述した登録を行った後、即ち、広告データ格納部１４に広告ＩＤ「６７８９」の広告データが格納されている状態にある携帯端末１の動作について説明する。まず、ユーザにより入力部１６の発呼ボタンが押下され、その後、通話状態になったことを検知すると、携帯端末１の制御部１２は、広告データ格納部１４から広告データを読み出し、該広告データをサブ表示部１７ｂへ出力する。これにより、サブ表示部１７ｂには、広告ＩＤ「６７８９」で特定される広告が表示される。
【００３５】
また、制御部１２は、位置検出部１５に対して位置情報の検出を指示する旨の信号を出力し、この結果、位置検出手段によって検出された緯度と経度とからなる位置情報を自己が備えるＲＡＭに格納する。更に、ＣＰＵ１２は、広告データをサブ表示部１７ｂに表示させたときの時刻を時計部１３から取得し、この時刻を表示開始時刻として、上記位置情報とともにＲＡＭに格納する。
【００３６】
続いて、通話が終了し、回線が切断されると、制御部１２は、サブ表示部１７ｂに対して表示を終了させる旨の指示を出すとともに、このときの時刻を時計部１３から取得し、この時刻を表示終了時刻として、既にＲＡＭに格納されている上記位置情報、表示開始時刻とともに格納する。これにより、ＲＡＭ内には、広告が表示された位置情報と、表示開始時刻と、表示終了時刻とが互いに関連付けられた情報（以下、広告表示情報と記載する）が格納される。
【００３７】
このようにして、制御部１２は、通話状態を検出するたびに、広告ＩＤ「６７８９」の広告データを表示部１７に表示させ、また、位置検出部１５から取得した位置情報と、時計部１３から取得した時刻情報とを互いに関連づけた広告表示情報をＲＡＭに格納する。
【００３８】
次に、制御部１２は、所定のタイミングで、ＲＡＭに格納されている上記広告表示情報を当該ユーザの登録者ＩＤ「１２３４５６」とともに広告管理サーバ４に対して送信する。広告管理サーバ４は該情報を受信すると、受信した登録者ＩＤ「１２３４５６」をキーとして、登録者ＤＢ２８から該当する登録者ファイルを読み出す。次に、ＣＰＵ２１は、読み出した登録者ファイルに登録されている広告ＩＤを読み出す。これにより、広告ＩＤ「６７８９」が読み出される。続いて、ＣＰＵ２１は、読み出した広告ＩＤ「６７８９」で特定される報酬テーブルを報酬データベース２６から読み出す。この結果、例えば、図４に示した報酬テーブルが読み出される。
【００３９】
ＣＰＵ２１は、この報酬テーブルと、携帯端末１から受信した広告表示情報とに基づいて、当該ユーザに付与する報酬を計算する。以下、報酬の計算処理について説明する。
【００４０】
まず、ＣＰＵ２１は、携帯端末１から受信した位置情報に基づいて、エリアを特定する。ここで、ＲＡＭ２３には、予め位置情報（緯度、経度からなる位置情報）とエリア情報（例えば、全国における住所）とが対応付けられたエリア検索情報が登録されている。従って、ＣＰＵ２１は、ＲＡＭ２３に格納されている上記エリア検索情報に基づいて、携帯端末１から受信した位置情報に対応する住所を求める。例えば、住所として、「渋谷区○丁目」が求められたとする。
【００４１】
続いて、求めた住所「渋谷区○丁目」に対応する報酬の中から、表示時間帯に対応する時間帯に一致する報酬を取得する。例えば、上記位置情報と対応付けられていた表示開始時刻が「１１時０３分」表示終了時刻が「１１時０６分」であった場合には、報酬テーブルのなかの時間帯「８：００〜１７：００」に該当する。従って、この時間帯の１分間に対する報酬である「○○円」を取得する。そして、取得した報酬○○円を表示時間分、即ち、今回は３分間表示したので、○○円を三倍して「△○円」を得る。
【００４２】
上述したような手順により、携帯端末１から受信した各広告表示情報に基づく報酬をそれぞれ算出することにより、今回携帯端末１から受信した全ての広告表示情報に対する報酬を算出する。そして、全ての広告表示情報に対する報酬を算出し終わると、その情報を登録者ＩＤ「１２３４５６」で特定される登録者ファイルに登録する。これにより、図５に示すように、広告表示情報と該情報に対する報酬とが対応付けられた情報が登録者ファイルに登録される。なお、上記処理に加えて、現時点での累計報酬額を算出し、その報酬の情報も登録するようにしてもよい。
【００４３】
そして、広告管理サーバ４を運営する事業者は、決められた期日に上記登録者ＤＢ２８に登録されている報酬の額を登録者に対して支払う。また、広告毎に支払った金額を計算し、その金額に応じた金銭の額を広告配信量として当該広告の提供者から徴収する。例えば、新規登録時に広告ＩＤ「６７８９」を配信した登録者全員に対して支払った報酬の額を合計し、その額に応じた金額を当該広告ＩＤ「６７８９」で特定される広告の提供者から徴収する。
【００４４】
以上、この発明の実施形態を図面を参照して詳述してきたが、具体的な構成はこの実施形態に限られるものではなく、この発明の要旨を逸脱しない範囲の設計等も含まれる。
【００４５】
例えば、上記実施形態では、エリアを住所によって定めていたが、このエリアの設定に関しては、事業者が広告の宣伝効果に基づいて、任意に設定できる情報とする。また、時間帯に関しても同様に、各エリアにおける広告宣伝効果に基づいて、時間帯、報酬を定めることがでできる。更に、時間帯という概念にとらわれず、より処理を簡単にするために、時間帯に応じて報酬を変化させることをやめ、エリアのみの情報によって報酬を決定するようにしても良い。
【００４６】
また、上述した実施形態では、表示時間に応じて報酬を決定していたが、表示時間にとらわれず、広告を表示した回数に応じて報酬を決定するようにしても良い。
【００４７】
また、上述した実施形態では、位置情報を携帯端末が備えた位置検出手段によって検出していたが、この位置情報に代わって、例えば、通話したときに使用した基地局の情報をエリア特定のための情報として受け取り、この基地局が設置されている位置からエリアを特定するようにしても良い。
【００４８】
また、上述した実施形態では、通話中における広告表示しか報酬対象とされないが、データ通信を行っているときも報酬対象とし、報酬を通話の場合と、データ通信の場合とで、それぞれ設定しても良い。
【００４９】
また、上記実施形態では、携帯端末が自己の通話履歴を蓄積しておき、所定のタイミングでその蓄積した通話履歴をサーバへ送信する構成としたが、これに限定されない。例えば、一般的に、キャリア側では、各携帯端末の通話履歴を蓄積している。従って、この通話履歴に携帯端末の位置情報（例えば、通話時に使用された基地局の設置位置から求めることが可能である）を付加して蓄積し、このリストを所定のタイミングでサーバへ提供するようなシステム構成としてもよい。
【００５０】
なお、上記実施形態では、報酬は金銭であったが、これに代わって、マイレージシステムのように、ポイントを付与し、登録者が獲得したポイントに応じたプレゼントを付与するようなものであってもよい。また、上記実施形態では、予め広告データを携帯端末内の広告データ格納部に格納しているが、これに代わって、通話の都度、携帯端末の位置に応じた広告データを広告管理サーバから携帯端末に提供したり、定期的に新しい内容の広告の提供を受ける態様であってもよい。また、上記実施形態では、広告データは、通信の際に表示されるようにしているが、これに代わって、常にサブ表示部の全部又は一部に表示する態様であっても良い。更に、広告管理サーバから提供される広告データは、静止画であっても動画であっても良い。
【図面の簡単な説明】
【００５１】
【図１】本発明の一実施形態に係る広告提供システムの基本構成図である。
【図２】本実施形態に係る携帯端末１の主要な構成を示すブロック図である。
【図３】本実施形態に係る広告管理サーバ４の主要な構成を示すブロック図である。
【図４】本実施形態に係る報酬テーブルの一例を示す図である。
【図５】本実施形態に係る登録者ファイルに登録される報酬に関する情報の一例を示す図である。
【図６】携帯端末において、広告を表示させる表示画面の設置位置について説明するための図である。
【符号の説明】
【００５２】
１  携帯端末
２  基地局
３  交換局
４  広告管理サーバ
６  携帯電話通信網
７  通信ネットワーク
１２  制御部
１３  時計部
１４  広告データ格納部
１５  位置検出部
１６  キー操作部
１７ａ  メイン表示部
１７ｂ  サブ表示部
２１  ＣＰＵ
２２  ＲＯＭ
２３  ＲＡＭ
２４  広告ＤＢ（広告データベース）
２５  通信部
２６  報酬ＤＢ（報酬データベース）
２８  登録者ＤＢ（登録者データベース）
【図１】
0004749396.tif 000002
【図２】
0004749396.tif 000003
【図３】
0004749396.tif 000004
【図４】
0004749396.tif 000005
【図５】
0004749396.tif 000006
【図６】
0004749396.tif 000007